(57)【要約】【課題】ぶれの無いきれいな静止撮像画像を得ることができる携帯電話機を提供すること。【解決手段】液晶表示器２０の上に置かれた写真や書面が、液晶表示器２０内に設けられた固体撮像素子２２によりスキャニングされる。そして固体撮像素子２２により得られた画像情報がメモリ２６に保存される。この結果、携帯電話機１０本体に手ぶれが生じても、撮像対象と固体撮像素子２２との相対的な移動が無い状態で画像が取り込まれるので、ぶれの無い鮮明な静止撮像画像をメモリ２６に取り込むことができる。【選択図】      図３
2004312461.tif 000002
【特許請求の範囲】
【請求項１】
液晶表示器を搭載した携帯電話機であって、
前記液晶表示器内に設けられた固体撮像素子と、
前記固体撮像素子により撮像された画像情報を保存するメモリと、
を具備することを特徴とする携帯電話機。
【請求項２】
前記メモリに保存した画像情報を読み出して、前記液晶表示器に表示する表示制御部を具備する、ことを特徴とする請求項１に記載の携帯電話機。
【請求項３】
前記固体撮像素子により撮像された画像情報を前記メモリに書き込む際、または前記メモリに保存した画像情報を読み出す際に、画像情報を縦方向及び又は横方向に反転させる書込み／読出し制御部を具備する、ことを特徴とする請求項１に記載の携帯電話機。
【請求項４】
使用者が操作部を操作することにより得られる操作信号に応じて、前記メモリに保存された画像情報を前記液晶表示器に表示させ、及び又は送信相手局に無線送信する制御部を具備する、ことを特徴とする請求項１から請求項３のいずれかに記載の携帯電話機。
【発明の詳細な説明】
【０００１】
【発明の属する技術分野】
本発明は、液晶表示器を搭載した携帯電話機に関する。
【０００２】
【従来の技術】
従来、通話機能の他にカメラ機能が搭載され、デジタルカメラとしても用いることができる携帯電話機が提案されている。また近年、特開２００２−３７４４５０号公報に記載されているように、近接した被写体を撮影する際には、カメラレンズの位置の調整で接写が可能とされたものも提案されている。
【０００３】
【特許文献１】
特開２００２−３７４４５０号公報
【０００４】
【発明が解決しようとする課題】
しかしながら、接写機能付のカメラを搭載した上記従来の携帯電話機においては、携帯電話機を保持する手がぶれてしまうと、撮影した画像が著しく乱れてしまうという問題がある。
【０００５】
本発明はかかる点に鑑みてなされたものであり、ぶれの無いきれいな静止撮像画像を得ることができる携帯電話機を提供することを目的とする。
【０００６】
【課題を解決するための手段】
かかる課題を解決するため本発明の携帯電話機は、液晶表示器を搭載した携帯電話機であって、液晶表示器内に設けられた固体撮像素子と、固体撮像素子により撮像された画像情報を保存するメモリとを具備する構成を採る。
【０００７】
この構成によれば、液晶表示器内に固体撮像素子を設けたので、写真や書面を液晶表示器の上に置いた状態でスキャニング動作を行うことができるようになる。この結果、携帯電話機本体に手ぶれが生じても、撮像対象と固体撮像素子との相対的な移動が無い状態で画像を取り込むことができるので、ぶれの無い鮮明な画像情報をメモリに取り込むことができるようになる。さらに液晶表示器に表示機能に加えて撮像機能を持たせることができるので、小型の携帯電話機を実現できるようになる。
【０００８】
本発明の携帯電話機は、メモリに保存した画像情報を読み出して液晶表示器に表示する表示制御部を具備する構成を採る。
【０００９】
この構成によれば、メモリに保存された画像がどのような画像かを使用者が確認できるようになる。
【００１０】
本発明の携帯電話機は、固体撮像素子により撮像された画像情報をメモリに書き込む際、またはメモリに保存した画像情報を読み出す際に、画像情報を縦方向及び又は横方向に反転させる書込み／読出し制御部を具備する構成を採る。
【００１１】
この構成によれば、使用者が被写体を直接見ているのと同じ状態の画像を、表示及び又は送信できるようになる。
【００１２】
本発明の携帯電話機は、使用者が操作部を操作することにより得られる操作信号に応じて、メモリに保存された画像情報を液晶表示器に表示させ、及び又は送信相手局に無線送信する制御部を具備する構成を採る。
【００１３】
この構成によれば、メモリに保存された手ぶれの無い静止画像を、使用者の要求に応じて、液晶表示器に表示して確認したり、好きなときに送信相手局に送ることができるようになる。
【００１４】
【発明の実施の形態】
本発明の骨子は、固体撮像素子を内蔵した液晶表示器を携帯電話機に搭載することである。
【００１５】
以下、本発明の実施の形態について図面を参照して詳細に説明する。
【００１６】
図１に、本発明の実施の形態による携帯電話機１０の外観図を示す。携帯電話機１０は、大きく分けて、上部筐体１１と、回動軸１３を介して上部筐体１１と折畳み可能に支持された下部筐体１２とにより構成されている。上部筐体１１には液晶表示器２０が設けられていると共に下部筐体１２には操作部１４が設けられている。
【００１７】
図２に、液晶表示器２０の構成を示す。液晶表示器２０は、表示を行う最小単位である液晶素子２１と画像情報を取り込む固体撮像素子２２が液晶表示器２０の全面に、ほぼ交互に配列されている。このようにこの実施の形態の携帯電話機１０においては、液晶表示器２０を固体撮像素子２２を内蔵した構成としたことにより、液晶素子２１を駆動させて液晶表示器２０上に画像を表示できると共に、液晶表示器２０上に置かれた写真や文書等の画像を固体撮像素子２２により撮像できるようになされている。
【００１８】
図３に、携帯電話機１０の回路構成を示す。図３において、制御部２５は携帯電話機１０全体の制御を行う。無線回路部２７は制御部２５の指示により、無線回線の接続を行って、アンテナ２８を介して音声信号や画像信号、データの送受信を行う。
【００１９】
メモリ２６には、制御部２５の動作を決定するプログラムコードやユーザデータが格納される。操作部１４は、ボタン等の入力手段であり、ダイヤル入力や携帯電話機１０の制御入力に用いられる。液晶表示器２０の中の液晶素子２１は制御部２５により制御される液晶駆動回路２３によって駆動される。固体撮像素子２２は、制御部２５からの指示で液晶表示器２０の上に置かれた物体を撮像し、その情報は画像処理部２４で画像情報に変換され、制御部２５に出力される。
【００２０】
制御部２５は、使用者の指示により（すなわち使用者が操作部１４を操作することにより得られる操作信号に応じて）、この画像情報をメモリ２６に格納する。また制御部２５は、使用者の指示により、メモリ２６から画像情報を読み出し、液晶表示器２０に表示する。さらに制御部２５は、使用者の指示により、メモリ２６から画像情報を読み出し、無線回路部２７及びアンテナ２８を介して相手局に送信する。
【００２１】
このように制御部２５は、メモリ２６に保存した画像情報を読み出して液晶表示器２０に表示する表示制御部としての機能、固体撮像素子２２により撮像された画像情報をメモリ２６に書き込むと共に読み出す書込み／読出し制御部としての機能を有する。加えて、制御部２５は、使用者が操作部１４を操作することにより得られる操作信号に応じて、メモリ２６に保存された画像情報を液晶表示器２０に表示させるか及び又は送信相手局に無線送信するかを制御する機能を有する。
【００２２】
次に、本実施の形態の携帯電話機１０の動作について説明する。携帯電話機１０は、液晶表示器２０の上に置かれた物体を固体撮像素子２２により撮像し、その画像情報をメモリ２６に格納する。この結果、写真や書面を液晶表示器２０の上に置いた状態でスキャニング動作を行うことができるようになるので、携帯電話機１０本体に手ぶれが生じても、撮像対象と固体撮像素子との相対的な移動が無い状態で画像を取り込むことができるので、ぶれの無い鮮明な画像情報をメモリ２６に取り込むことができるようになる。
【００２３】
メモリ２６に保存された画像は、使用者が操作部１４を操作することで、液晶表示器２０に表示され、または相手局に送信される。このように撮像画像を一旦メモリ２６に保存し、その画像を液晶表示器２０に表示するようにしたことにより、使用者は実際にぶれのない画像を撮像できたかや好みの画像を撮像できたかを確認することができるようになる。そして撮像画像を確認した後に、相手局に画像を送信することができるようになる。
【００２４】
図４は、携帯電話機１０の使用方法の説明図である。図４（ａ）に示すように、使用者は撮影したい写真や書面を、携帯電話機１０の液晶表示器２０の上に裏返しにして置く。次に使用者が操作部１４を操作し、撮影を指示すると、固体撮像素子２２は被写体を撮影し、その画像情報はメモリ２６に格納される。撮影された画像データは、図４（ｂ）又は図４（ｃ）に示すように液晶表示器２０に表示される。
【００２５】
図４（ｂ）は、撮影した画像情報をそのまま液晶表示器２０に表示した場合の例である。この実施の形態の場合には、制御部２５によって、固体撮像素子２２により撮像された画像情報をメモリ２６に書き込む際、またはメモリ２６に保存した画像情報を読み出す際に、画像情報を縦方向及び又は横方向に反転させることにより、図４（ｃ）に示すような表示画像を得るようになされている。これにより、使用者が被写体を直接見ているのと同じ状態の画像を表示できるようになる。因みに、図４（ｃ）は、撮影した画像情報を縦方向に反転させて表示した場合の例である。写真や書面など普通の被写体はこのように１方向に反転させて表示させるのが自然である。
【００２６】
かくして本実施の形態によれば、液晶表示器２０内に固体撮像素子２２を設けるようにしたことにより、写真や書面を液晶表示器２０の上に置いた状態でスキャニング動作を行うことができるようになるので、ぶれのない撮像画像を得ることができる携帯電話機１０を実現できる。
【００２７】
また撮像画像をメモリ２６に保存するようにしたことにより、撮像画像を確認できると共に好きなときに送信できるようになる。
【００２８】
なお上述した実施の形態では、液晶素子２１と固体撮像素子２２を１：１で配列した場合について説明したが、本発明はこれに限らず、固体撮像素子２２の割合を増やし、撮影によって得られる画像情報の解像度を向上させることも可能である。
【００２９】
【発明の効果】
以上説明したように本発明によれば、液晶表示器に固体撮像素子を内蔵したことにより、液晶表示器の上に置かれた写真や書面を安定した状態でスキャンニングできるようになり、カメラでの撮影と比べて、手ぶれによる失敗がなく、鮮明な画像を得ることができる優れた携帯電話機を実現できる。
【図面の簡単な説明】
【図１】本発明の実施の形態に係る携帯電話機の外観図
【図２】実施の形態の液晶表示器の拡大図
【図３】実施の形態の携帯電話機の回路構成を示すブロック図
【図４】実施の形態の携帯電話機における撮像及び表示の説明に供する図
【符号の説明】
１０  携帯電話機
１１  上部筐体
１２  下部筐体
１３  回動軸
１４  操作部
２０  液晶表示器
２１  液晶素子
２２  固体撮像素子
２３  液晶駆動回路
２４  画像処理部
２５  制御部
２６  メモリ
２７  無線回路部
２８  アンテナ
【図１】
2004312461.tif 000003
【図２】
2004312461.tif 000004
【図３】
2004312461.tif 000005
【図４】
2004312461.tif 000006